(57)【要約】【課題】  集魚効果とヒット率に優れたルアー仕掛けの提供。【解決手段】  ルアー用フック１１のシャンク部１１ａとベント部１１ｂの境界部分からシャンク部１１ａの延長線上に沿わせて回転自在部品２０を介してブレード３０を回転自在に連接する。シャンク部１１ａのベント部１１ｂと反対の端部に形成したアイ部１１ｃを疑似餌のルアー本体１の後端部に連結する。水中でルアー本体１をリーリングするときに、フック１１の後方近くでブレード３０を回転させて肉食性の魚を誘き寄せるようにすることで、集魚効果とヒット率を上げる。【選択図】図１
2008054523.tif 000002
【特許請求の範囲】
【請求項１】
シャンク部とベント部を有するルアー用フックを、前記シャンク部の前記ベント部側端部と反対の端部でルアー本体に連結したルアー仕掛けにおいて、
前記フックにおける前記シャンク部の前記ベント部側端部に、シャンク部延長線方向に回転自在部品を介してブレードを回転自在に連接したことを特徴とするルアー仕掛け。
【請求項２】
前記回転自在部品の全長が前記シャンク部の長さの半分以下であることを特徴とする請求項１に記載のルアー仕掛け。
【請求項３】
前記回転自在部品の片端を前記ブレードに連結し、他端を前記フックにおけるシャンク部のベント部側端部に連結したことを特徴とする請求項１または２に記載のルアー仕掛け。
【請求項４】
前記回転自在部品の片端を前記ブレードに連結し、他端を前記フックのシャンク部に着脱自在に接合可能な取付部材に連結して成るブレード仕掛け部品を備え、当該ブレード仕掛け部品の前記取付部材を前記フックのシャンク部に接合したことを特徴とする請求項１または２に記載のルアー仕掛け。
【発明の詳細な説明】
【技術分野】
【０００１】
本発明は、ルアーフィッシングに使用されるルアー本体にルアー用フックを連結したルアー仕掛けに関する。
【背景技術】
【０００２】
ルアーフィッシングに使用されるルアー本体（疑似餌、プラグ、スプーンなど）に連結されるフック（釣針）は、一本鈎針形状のシングルフック、複数のシングルフックのシャンク部（軸部）を平行に接合一体化したイカリ形フック（ダブルフック、トリプルフックなど）がある。ルアー本体にフックを連結したルアー仕掛けは、水中でリーリングするときに小魚が泳ぐような動作をして、肉食性の魚（フィッシュイーター）を誘き寄せる。水中のルアー本体に誘き寄せられた魚は、小魚に似せたルアー本体を捕食等しようとしてルアー本体に連結されたフックにヒット（針掛かり）する。
【０００３】
上記ルアー仕掛けは、水中で肉食性の魚を誘き寄せ易いような様々な形状、色彩のものや、小魚が泳ぐような波動を出すものが使用されている。例えば、小魚に似せたルアー本体（疑似餌）の中間部（腹ひれ部）と後端部（尾ひれ部）にイカリ形フックを連結したルアー仕掛けがある（例えば、特許文献１参照）。また、Ｖ字形の針金製アームの片端にフックと疑似餌（ルアー本体に相当）と、フックを隠すスカート（フェザー）を連結し、他端にブレードを回転自在に連結したスピナーベイトと呼ばれるルアー仕掛けがある（例えば、特許文献２参照）。
【０００４】
前者ルアー仕掛けは、ルアー本体の前端にライン（釣糸）を繋留して、ルアー本体を水中でリーリングする。この場合、肉食性の魚は、水中でリーリングするルアー本体を小魚と認知してヒットする。後者ルアー仕掛けは、Ｖ形アームの中央部にラインを繋留して、水中をリーリングする。この場合、アームの片端の疑似餌と共に、他端のブレードが回転しながら水中をリーリングする。このブレードが肉食性の魚を誘き寄せて、疑似餌のフックにヒットし易くする。
【特許文献１】特開２００３−１３４９６８号公報
【特許文献２】特開２００３−１０９５７０号公報
【発明の開示】
【発明が解決しようとする課題】
【０００５】
ルアー本体にフックを連結したルアー仕掛けの集魚効果、ヒット率は、ルアー本体の機能的形態（形状、色彩、波動発生構造など）と、水中におけるルアー本体のリーリング方法に左右される。しかし、ルアー本体に単にフックを連結したルアー仕掛けにおいては、フックがリーリング時のルアー本体の自然な動きを損ない、フックがルアー本体の持つ集魚効果を低下させることがある。
【０００６】
Ｖ形アームを使用したスピナーベイトと呼ばれるルアー仕掛けは、アームのフック付疑似餌の近くをブレードが回転しながらリーリングして肉食性の魚を誘き寄せるため、集魚効果に優れる。しかし、肉食性の魚がブレードに誘き寄せられても、ブレードの近くをリーリングする疑似餌にヒットするとは限らず、ヒット率を上げることが難しい。また、スピナーベイトのルアー仕掛けは、水中でリーリングするときにラインとアームが絡まないようにする高度なリーリングテクニックが必要であり、これがヒット率を上げるのを難しくしている。
【０００７】
本発明の目的とするところは、集魚効果とヒット率に優れたルアー仕掛けを提供することにある。
【課題を解決するための手段】
【０００８】
本発明の上記目的を達成する技術的手段は、シャンク部とベント部を有するルアー用フックを、シャンク部のベント部側端部と反対の端部でルアー本体に連結したルアー仕掛けにおいて、フックにおけるシャンク部のベント部側端部に、シャンク部延長線方向に回転自在部品を介してブレードを回転自在に連接したことを特徴とする。
【０００９】
ここで、ルアー用フックは１本の鉤針のシングルフック、複数のシングルフックを接合したダブルフックやトリプルフックなどのイカリ形フックである。シングルフックは鉤針形で、直線状のシャンク部（軸部）と、シャンク部の先端から湾曲して延在するベント部（ふところ部）を有し、ベント部の先端部が先鋭な針先部となる。イカリ形フックは、複数のシングルフックのシャンク部を平行に束ねて半田付けや接着、針金巻きなどで接合して一体化する。このルアー用フックのシャンク部のベント部側端部と反対の端部をルアー本体に連結する。ルアー本体の形状や大きさによって、ルアー本体に連結するルアー用フックの数が単数又は複数と選択される。
【００１０】
また、ルアー用フックのシャンク部のベント部側端部に、別体の回転自在部品とブレードを直列状に連接する。回転自在部品は、サルカンやベアリング、スイベルといった呼び方で市販されている小形軽量部品が適用できる。ブレードは、水の流れを受けると回転する反射板が適用できる。ブレードは、水中で回転することで小魚や虫が泳いでいるような波動を出し、回転することで光を反射して肉食性の魚を誘き寄せる。１つのルアー用フックに１つのブレードを連接するが、ブレードのサイズ、形状によっては複数のブレードを連接することができる。このようなブレードをルアー用フックに直接的に連接することで、ルアー本体とブレード双方の集魚効果の相乗効果でルアー仕掛けの集魚効果が増し、かつ、肉食性の魚がブレードにも捕食等しようとすることからルアー仕掛け全体の捕食効果、ヒット率が向上する。
【００１１】
また、ルアー本体の少なくとも、当該ルアー本体が水中を前進するときの最後尾となる後端部分にブレード付フックを連結する。水中をリーリングするルアー本体を肉食性の魚が補食する場合、ルアー本体の最後尾から捕食しようとするのが通常であることから、少なくともルアー本体の後端部分にブレード付フックを連結することが望ましい。
【００１２】
また、本発明においては、ルアー用フックにブレードを連接する回転自在部品の全長をシャンク部の長さの半分以下に設定することが望ましい。この場合、回転自在部品の全長は５ｍｍ以上が望ましい。つまり、回転自在部品の全長が５ｍｍ未満と小さいと、ブレードがフックに近付き過ぎて回転性が損なわれ、集魚効果やフッキングが低下する。また、全長が５ｍｍ未満の回転自在部品は、かなりの小形部品となり、性能に優れた製品の製作が難しくなる。回転自在部品の全長がシャンク部の長さの半分を超える寸法になると、ブレードがフックから遠く離れて、ブレードに誘き寄せられた肉食性の魚がフックにヒットする率が低下する。
【００１３】
また、本発明においては、回転自在部品の片端をブレードに連結し、他端をフックにおけるシャンク部のベント部側端部に連結することができる。或いは、回転自在部品の片端をブレードに連結し、他端をフックのシャンク部に着脱自在に接合可能な取付部材に連結したブレード仕掛け部品における取付部材を、フックのシャンク部に接合することができる。
【００１４】
上記ブレード仕掛け部品は、ルアー用フックと別体で製作したものが適用できる。このブレード仕掛け部品の取付部材は、ルアー用フックのシャンク部に平行に接合できる直線状の線材が適切である。ルアー用フックがシングルフックの場合、このシングルフックにブレード仕掛け部品を組み付ける。ルアー用フックがイカリ形フックの場合、製作されたイカリ形フックのシャンク部にブレード仕掛け部品を組み付ける、或いは、イカリ形フックの製作時にブレード仕掛け部品を組み付ける。
【発明の効果】
【００１５】
本発明のルアー仕掛けによれば、水中でルアー本体をリーリングするときに、ルアー本体に連結したフックの近くでブレードが回転して肉食性の魚を誘き寄せる集魚効果が発揮され、ルアー本体とブレード双方の集魚効果の相乗効果でルアー仕掛け全体の集魚効果が増す。かつ、肉食性の魚がブレードにも捕食等しようとすることから、ルアー仕掛け全体の捕食効果、ヒット率が確実性良く向上するという優れた効果を奏し得る。
【発明を実施するための最良の形態】
【００１６】
以下、本発明の実施の形態を図１〜図８を参照して説明する。
【００１７】
図１〜図３に示す実施形態のルアー仕掛けは、小魚に似せた疑似餌であるルアー本体１の後端部分に三本イカリ形のルアー用フック１１を連結し、ルアー用フック１１に回転自在部品２０を介して１枚のブレード３０を連接している。ルアー本体１の先端と後端に金属環のアイ２、３が突設され、先端のアイ２にライン５が繋留され、後端のアイ３にルアー用フック１１がスプリットリング４で連結される。
【００１８】
図２（Ａ）、（Ｂ）に示す三本イカリ形のルアー用フック１１は、３本のシングルフック１１を備える。各シングルフック１１は、直線状のシャンク部１１ａと、シャンク部１１ａから一体に延在する湾曲したベント部１１ｂを有する。シャンク部１１ａのベント部側端部と反対の開放側端部に円形に屈曲させたアイ部１１ｃが形成され、ベント部１１ｂの開放側先端部の針先部１１ｄに戻り１１ｅが形成される。３本のシングルフック１１のシャンク部１１ａを平行に束ね、半田付け等で接合して一体化して三本イカリ形ルアー用フック１１を製作する。１本のシングルフック１１に形成したアイ部１１ｃが他の２本のシングルフック１１のアイ部を兼用する。このアイ部１１ｃがスプリットリング４でルアー本体１のアイ３に連結される。
【００１９】
ルアー用フック１１における直線状シャンク部１１ａのアイ部１１ｃと反対側端部に回転自在部品２０とブレード３０が直列状に連接される。シャンク部１１ａのベント部１１ｂ側の端部は、３つのベント部１１ｂが１２０°間隔で放射状に拡がる部所で、この部所に例えば図３に示すような回転自在部品２０の片端部を溶接や半田付け等で固定する。図３に示す回転自在部品２０は、軸状のボディ２１の両端に金属環２２、２３を突出したスイベルで、一方の金属環２２を変形させるなどしてシャンク部１１ａのベント部側端部に連結する。他方の金属環２３にブレード３０の片端部をスプリットリング２４で連結する。ブレード３０は、細長い羽根状の金属製反射板で、長手方向の片端部に形成された取付穴にスプリットリング２４が取り付けられる。
【００２０】
図３の回転自在部品２０の全長Ｌが、シャンク部１１ａに回転自在部品２０を介して連接したブレード３０とシャンク部１１ａの離反距離であるとすると、全長Ｌをシャンク部１１ａの全長の半分以下に設定する。詳しくは、全長Ｌをシャンク部１１ａの全長の半分以下で５ｍｍ以上に規定する。後述するように全長Ｌの下限は、ルアー用フック１１に回転自在部品２０を介して連接したブレード３０が水中で回転し易いことを目安に設定する。また、全長Ｌの上限は、回転するブレード３０に誘き寄せられた肉食性の魚がフック１１にヒットし易い距離を目安に設定する。
【００２１】
図１のルアー仕掛けを水中でリーリングすると、図４に示すようにルアー本体１の最後尾に連結されたルアー用フック１１の後方近くでブレード３０が水の抵抗で回転する。この回転で小魚が遊泳するときのような波動を出し、キラキラと光を反射して、肉食性の魚を誘き寄せる。同時に、リーリングされるルアー本体１も肉食性の魚を誘き寄せる。このルアー本体１とブレード３０の集魚効果が相乗的に発揮されて、ルアー仕掛け全体の集魚効果が増す。ルアー仕掛けに誘き寄せられた肉食性の魚が、ルアー本体１を捕食しようとするとフック１１にヒットする。また、肉食性の魚がブレード３０を直接的に補食しようとする、ブレード３０の極近くにあるフック１１にヒットする。このように、肉食性の魚がヒットする形態が二形態に大きく分けられることから、ヒット率が確実性良く上がる。
【００２２】
なお、図４のリーリング時において、ブレード３０がルアー用フック１１に近付き過ぎると、フック１１のベント部１１ｂにブレード３０が触れるなどして回転し難くなり、集魚効果が低下することがある。このような集魚効果の低下は、回転自在部品２０の全長Ｌを５ｍｍ以上にすることで回避できる。また、ブレード３０がルアー用フック１１から離れるほど、ブレード３０を捕食しようとする肉食性の魚がフック１１にヒットする確率が低下する。このようなヒット率の低下は、回転自在部品２０の全長Ｌをシャンク部１１ａの全長の半分以内に設定することで回避できる。
【００２３】
次に、本発明の他の実施の形態を図５〜図８で順に説明する。
【００２４】
図５のルアー仕掛けは、図１と同様なルアー本体１の後端部分と中間部分（腹ひれ部）の２箇所にルアー用フック１１、１０を連結し、それぞれに回転自在部品２０、２０を介してブレード３０、３０を連接している。なお、図５に示す２つのブレード３０、３０は、形状を相違させているが、同じ形状のものでもよい。
【００２５】
図６は、シングルフックのルアー用フック１１に回転自在部品２０を介してブレード３０を連接している。図６のルアー用フック１１は、図７の組立時の分解図に示すようにフック１１と別に製作されるブレード仕掛け部品４０を備える。ブレード仕掛け部品４０は、回転自在部品２０の片端をブレード３０にスプリットリング２４で連結し、他端を直線状の取付部材４１の一端に固定して構成される。取付部材４１は、フック１１のシャンク部１１ａと同程度の長さの金属線で、シャンク部１１ａに平行に接合され、一体化される。
【００２６】
ブレード仕掛け部品４０をルアー用フック１１と別に製作して、フック１１に取り付けるようにする。フック１１のシャンク部１１ａに取り付ける取付部材４１の位置を調整することで、フック１１とブレード３０の離反距離が適宜に調整できる。また、ブレード仕掛け部品４０は、形状とサイズの異なる複数種類のルアー用フックに対応させて複数種類ものを製作し、保管や市販することができる。市販する場合、購入者が既存のルアー用フックに取り付けてルアー仕掛けを手作りすることができる。
【００２７】
図８は、ダブルフックのルアー用フック１１にブレード仕掛け部品４０を取り付けるルアー仕掛けを示す。２本のシングルフック１１、１１のシャンク部１１ａ、１１ａ同士を接合するときに、シャンク部１１ａ、１１ａでブレード仕掛け部品４０の取付部材４１を挟持させて接合する。この場合も、２本のシャンク部１１ａ、１１ａに取り付ける１本の取付部材４１の位置を調整することで、ダブルフックのベント部１１ｂ、１１ｂとブレード３０の離反距離が適宜に調整できる。
【００２８】
なお、本発明のルアー仕掛けは、上記した実施の形態に限定されるものではなく、本発明の要旨を逸脱しない範囲内において種々変更を加え得ることは勿論である。
【図面の簡単な説明】
【００２９】
【図１】本発明に係るルアー仕掛けの実施の形態を示す正面図である。
【図２】（Ａ）は図１のルアー仕掛けにおけるルアー用フックの拡大正面図、（Ｂ）は拡大側面図である。
【図３】図２（Ａ）のルアー用フックとブレードの連接時の分解斜視図である。
【図４】図１のルアー仕掛けのリーリング時の正面図である。
【図５】他の実施の形態を示すルアー仕掛けの正面図である。
【図６】他の実施の形態を示すルアー仕掛けにおけるルアー用フックの正面図である。
【図７】図６のルアー用フックの分解正面図である。
【図８】他の実施の形態を示すルアー仕掛けにおけるルアー用フックの分解正面図である。
【符号の説明】
【００３０】
１    ルアー本体
４    スプリットリング
５    ライン
１１    ルアー用フック
１１ａ    シャンク部
１１ｂ    ベント部
１１ｃ    アイ部
１１ｄ    針先部
２０    回転自在部品
２１    ボディ
２２    金属環
２３    金属環
２４    スプリットリング
３０    ブレード
４０    ブレード仕掛け部品
４１    取付部材
【図１】
2008054523.tif 000003
【図２】
2008054523.tif 000004
【図３】
2008054523.tif 000005
【図４】
2008054523.tif 000006
【図５】
2008054523.tif 000007
【図６】
2008054523.tif 000008
【図７】
2008054523.tif 000009
【図８】
2008054523.tif 000010